(57)【特許請求の範囲】
【請求項１】
透液性のトップシートと不透液性のバックシートとの間に吸収体が介在され、前記吸収体の周囲の外周フラップ部において前記バックシートと前記トップシートとが接合手段によって接合され、平面視で略方形に形成されたペット用吸収性シートにおいて、
前記ペット用吸収性シートの周縁部は、ペットが識別可能で且つ中央部と色の判別が可能な青色、黄色又は黒色のいずれかに着色した着色部としてあるとともに、前記着色部で囲まれた中央部は、地色を白色としてあり、
前記着色部は、前記バックシートの全面に着色を施し、前記吸収体が介在しない外周フラップ部のバックシート部分が前記トップシート側から透けて見えることにより着色部として認識できるようにしていることを特徴とするペット用吸収性シート。
【請求項２】
透液性のトップシートと不透液性のバックシートとの間に吸収体が介在され、前記吸収体の周囲の外周フラップ部において前記バックシートと前記トップシートとが接合手段によって接合され、平面視で略方形に形成されたペット用吸収性シートにおいて、
前記ペット用吸収性シートの周縁部は、ペットが識別可能で且つ中央部と色の判別が可能な青色、黄色又は黒色のいずれかに着色した着色部としてあるとともに、前記着色部で囲まれた中央部は、地色を白色としてあり、
前記着色部は、前記バックシートの全面に着色を施すとともに、このバックシートの周縁をトップシートの外縁を巻き込んで表面側に折り返し、この折り返し部分をトップシートの上面に接合することによって前記着色部として認識できるようにしていることを特徴とするペット用吸収性シート。
【請求項３】
前記中央部には、ｐＨを検知して変色する指示薬を含有するインキによってデザインが施されている請求項１、２いずれかに記載のペット用吸収性シート。
【発明の詳細な説明】
【技術分野】
【０００１】
本発明は、トイレシート、ペットシーツなど、犬などのペットの排泄処理用品として使用されるペット用吸収性シートに係り、詳しくはシートの周縁部にペットが識別可能で且つ中央部と色の判別が可能な色に着色した着色部が設けられたペット用吸収性シートに関する。
【背景技術】
【０００２】
従来より、犬などのペットの排泄処理用品として、ポリエチレンシートなどの不透液性バックシートと、不織布などの透液性トップシートとの間に綿状パルプなどからなる吸収体を介在したペット用吸収性シートが知られている。
【０００３】
かかるペット用吸収性シートとして、前記吸収体全体やこの吸収体を覆うクレープ紙全体を青色等の犬が識別可能な色で着色したものが市販されている。このような着色は、ペットにペット用吸収性シートの位置を視覚的に識別可能とすることでトイレを躾けるためと、尿などの排泄物を目立たなくする色マスキング効果とを期待して施されるものである。
【０００４】
下記特許文献１には、ペットが着色された領域を認識して排泄したときに、尿などが液吸収領域でしっかりと吸収され、床面などに洩れないようにするため、吸収体が存在する吸収領域の中央部分が着色され、前記着色が成された部分の全周を囲むようにして隣り合った部分で液吸収領域が無着色であるペット排泄用シートが開示されている。
【先行技術文献】
【特許文献】
【０００５】
【特許文献１】特許第３５４８３８４号
【発明の概要】
【発明が解決しようとする課題】
【０００６】
しかしながら、上記特許文献１記載のペット排泄用シートでは、吸収体が介在する液吸収領域のうちの中央部分の所定面積だけを着色部分とし、その外周を囲む部分に無着色の液吸収領域を設けるというものであるので、ペットが識別できる着色部分の面積が狭くなりペットが認識しにくい場合があった。
【０００７】
また、従来のペット用吸収性シートのように、吸収体が介在する全面を着色部分とした場合には、ペットとしてはシートの位置を識別して着色部分の上で排泄しているつもりでも、身体全体が着色部分の上に乗らないうちに後ろ足がシートからはみ出した状態で排泄をはじめたり、隅の方に排泄することにより外側に漏れ出たりすることが少なくなかった。
【０００８】
さらに、吸収領域の全面を着色部分とすると、排尿の跡が目立たなくなるため、排尿があったことに気付かずシートの交換が遅れる、血尿等があったときでも尿の色が確認できずペットの健康チェックができないなどの問題があった。
【０００９】
そこで本発明の主たる課題は、シート周縁部をペットが識別可能な色に着色することにより、確実にシート内で排泄が行われるようにするとともに、ペットの健康チェックを容易にしたペット用吸収性シートを提供することにある。
【課題を解決するための手段】
【００１０】
上記課題を解決するために請求項１に係る本発明として、透液性のトップシートと不透液性のバックシートとの間に吸収体が介在され、前記吸収体の周囲の外周フラップ部において前記バックシートと前記トップシートとが接合手段によって接合され、平面視で略方形に形成されたペット用吸収性シートにおいて、
前記ペット用吸収性シートの周縁部は、ペットが識別可能で且つ中央部と色の判別が可能な青色、黄色又は黒色のいずれかに着色した着色部としてあるとともに、前記着色部で囲まれた中央部は、地色を白色としてあり、
前記着色部は、前記バックシートの全面に着色を施し、前記吸収体が介在しない外周フラップ部のバックシート部分が前記トップシート側から透けて見えることにより着色部として認識できるようにしていることを特徴とするペット用吸収性シートが提供される。
【００１１】
上記請求項１記載の発明では、ペット用吸収性シートの周縁部に、ペットが識別可能で且つ中央部と色の判別が可能な青色、黄色又は黒色のいずれかに着色した着色部を設け、前記着色部で囲まれた中央部は、地色を白色としてあるため、ペット用吸収性シートの位置が前記着色部の枠として識別できるようになり、この枠内に排泄するよう躾けることにより、シート内で排泄が行われるようになる。また、ペットが前記着色部を枠として認識することにより、この枠を跨ぐようにしてペット用吸収性シートの上に進入する結果、後ろ足まで完全にペット用吸収性シートの上に乗った状態で排泄する可能性が高まり、ペット用吸収性シートに乗らないうちに排泄をはじめたり、一部の足を外側に出してシート隅に排泄することにより外側に漏れが生じたりする可能性が低くなる。なお、前記着色部は犬が識別可能な色として知られている青色、黄色又は黒色のいずれかの色で着色するようにしたものである。
【００１２】
さらに、前記着色部で囲まれた中央部を、着色部との色の判別が可能な色として白色などの薄い色としているため、排泄の有無が一目で判別でき、シート交換が必要な場合には速やかに新しいものと交換できる。また吸収体に吸収された尿の色が判別しやすくなるため、血尿の有無など健康チェックが容易となる。なお、前記着色部で囲まれた中央部を白色としたのは、トップシート、クレープ紙及び吸収体の素地の色である白色としてあることを規定したものである。
【００１３】
請求項２に係る本発明として、透液性のトップシートと不透液性のバックシートとの間に吸収体が介在され、前記吸収体の周囲の外周フラップ部において前記バックシートと前記トップシートとが接合手段によって接合され、平面視で略方形に形成されたペット用吸収性シートにおいて、
前記ペット用吸収性シートの周縁部は、ペットが識別可能で且つ中央部と色の判別が可能な青色、黄色又は黒色のいずれかに着色した着色部としてあるとともに、前記着色部で囲まれた中央部は、地色を白色としてあり、
前記着色部は、前記バックシートの全面に着色を施すとともに、このバックシートの周縁をトップシートの外縁を巻き込んで表面側に折り返し、この折り返し部分をトップシートの上面に接合することによって前記着色部として認識できるようにしていることを特徴とするペット用吸収性シートが提供される。
【００１４】
上記請求項２記載の発明は、着色されたバックシートの周縁をトップシートの外縁を巻き込んで表面側に折り返し、この折り返し部分をトップシートの上面にホットメルト接着剤等で接合することによって、前記着色部として認識できるようにしている。バックシートの折り返し部分が表面側に接合されるため、外縁からの漏れが軽減できるとともに、着色部の識別性が向上する。
【００１５】
請求項３に係る本発明として、前記中央部には、ｐＨを検知して変色する指示薬を含有するインキによってデザインが施されている請求項１、２いずれかに記載のペット用吸収性シートが提供される。
【００１６】
上記請求項３記載の発明では、中央部にｐＨを検知して変色する指示薬を含有するインキによってデザインを施すことによって尿のｐＨをチェックでき、ペットの健康管理がより一層確実に行えるようになる。
【発明の効果】
【００１７】
以上詳説のとおり本発明によれば、シート周縁部をペットが識別可能な色に着色することにより、確実にシート内で排泄が行われるようにするとともに、ペットの健康チェックを容易にしたペット用吸収性シートが提供できるようになる。
【図面の簡単な説明】
【００１８】
【図１】本発明に係るトイレシート１の一部破断平面図である。
【図２】その横断面図である。
【図３】第２形態例（参考形態例）に係るトイレシート１の組立要領を示す斜視図である。
【図４】第２形態例（参考形態例）に係るトイレシート１の横断面図である。
【図５】第３形態例（参考形態例）に係るトイレシート１の横断面図である。
【図６】第４形態例に係るトイレシート１の横断面図である。
【発明を実施するための形態】
【００１９】
以下、本発明の実施の形態について図面を参照しながら詳述する。
本発明に係るペット用吸収性シート（以下、トイレシート１）は、ポリエチレンシートなどからなる不透液性バックシート２と、尿などを速やかに透過させる透液性トップシート３と、これら両シート２、３間に介装された綿状パルプなどからなる吸収体４と、この吸収体４の形状保持および拡散性向上のために前記吸収体４の上面および下面を覆うクレープ紙５、５とから主に構成され、前記吸収体４の周囲の外周フラップ部において前記不透液性バックシート２と透液性トップシート３とがホットメルトなどの接着剤やヒートシール等の接合手段によって接合され、平面視で略方形状に形成されている。
【００２０】
以下、さらに前記トイレシート１の構造について詳述すると、
前記不透液性バックシート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性バックシートを構成する。）などを用いることができる。
【００２１】
前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。前記透液性トップシート３に多数の透孔を形成した場合には、尿等が速やかに吸収されるようになる。前記プラスチックシートとしては、メッシュシートが用いられる。このメッシュシートとしては、たとえばポリエチレンまたはポリプロピレン等のオレフィン系の熱可塑性樹脂フィルムが好適に使用されるが、ポリエステル、ナイロンなどのポリアミド系樹脂、エチレン−酢酸ビニル共重合体（ＥＶＡ）なども使用することができる。
【００２２】
前記吸収体４としては、尿等の排泄物を吸収・保持し得るものであれば良く、たとえばパルプ中に高吸水性樹脂を混入したもの、或いはパルプ中に化学繊維を混入させるとともに、高吸水性樹脂を混入したものが使用される。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が吸収機能および価格の面で好適に使用される。前記吸収体４の目付けは、５０〜２４０ｇ／ｍ２、特に１６０〜２００ｇ／ｍ２のものが望ましい。
【００２３】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜５０重量％、特に２０〜３０重量％とするのが望ましい。高吸水性樹脂含有率が１０重量％未満の場合には、十分な吸収能を与えることができず、５０重量％を超える場合にはパルプ繊維間の絡み合いが無くなり、シート強度が低下し破れや割れ等が発生し易くなる。
【００２４】
前記クレープ紙５としては、通常のクレープ紙の他に、薄葉紙、ティッシュペーパ、不織布、ポリラミ不織布、小孔が開いたシート等を用いることができる。ただし、高吸水性樹脂粒子が抜け出ないシートであるのが望ましい。前記クレープ紙５は、図２に示される例では吸収体４の表面側及び裏面側にそれぞれ配設されているが、１枚のシートで吸収体４を囲繞するように配設することもできる。クレープ紙５の目付けは、５〜４０ｇ／ｍ２、特に１０〜３０ｇ／ｍ２のものが望ましい。また、吸収体４の上層側と下層側とで異なる目付のものを使用することもできる。この場合、下層側の方が低い目付のものを使用するのが好ましい。
【００２５】
上記トイレシート１を構成する各部材には、尿などの臭いを軽減するために、消臭剤及び／又は芳香剤を配合（内添又は外添）するようにしてもよい。
【００２６】
本発明に係るトイレシート１では、図１および図２に示されるように、トップシート３の上から見た状態で、トイレシート１の周縁部には、ペットが識別可能で且つ中央部７と色の判別が可能な色に着色した着色部６が設けられている。即ち、トイレシート１の表面側から見た状態で、シート周縁部に沿って周方向に閉合した方形枠状に前記着色部６が形成されている。具体的に、前記着色部６は、犬用トイレシートである場合には、犬が識別可能な青色、黄色又は黒色のいずれかに着色してある。
【００２７】
また、前記着色部６で囲まれた内側の中央部７は、前記着色部６と色の判別が可能な色であればよいが、地色を白色としてあることが好ましい。これにより、トップシート３の上から見た状態で着色部６がより明確に識別できるようになる。前記中央部７を白色にした場合、トップシート３或いはこのトップシート３から透けて見えるクレープ紙５又は吸収体４の素地の色が有する程度の白色度であれば良い。具体的な白色度としては、ＪＩＳ  Ｐ８１４８に準じた測定法で白色度５７％以上とすることが好ましい。
【００２８】
このように、トイレシート１の周縁部に枠状の着色部６を形成することにより、犬などのペットがトイレシート１の位置を明確に認識できるようになり、この枠内で排泄する可能性が高くなる。また、ペットがトイレシートの位置を枠として認識することにより、ペットがこの着色された枠を跨ぐようにしてトイレシート１上に進入する結果、後ろ足まで完全にトイレシート１に乗った状態で排尿が行われ、トイレシート１に乗らないうちに排尿をはじめたり、一部の足を外側に出してシート隅に排尿することにより外側に漏れが生じたりする可能性が低くなる。
【００２９】
さらに、前記中央部７の地色を白色とした場合には、遠くからでも排尿があったか否かが一目で確認でき、シート交換が遅れることがなくなる。また吸収体４に吸収された尿の色を確認できるため、血尿の有無などの健康チェックが容易となる。
【００３０】
次に、トイレシート１の周縁部に前記着色部６を設ける形態例について、図１〜図６に基づいて説明する。第１形態例に係るトイレシート１では、図１及び図２に示されるように、前記バックシート２の全面に着色を施すことによって、吸収体４が介在しない外周フラップ部のバックシート２部分がトップシート３側から透けて見えることにより、表面側に着色部６として認識できるようにしている。
【００３１】
本形態例に係るトップシート３としては、バックシート２の着色が透けて見えるものを使用する。このようなトップシート３としては、透明なメッシュシート又は不織布、低目付の不織布、開口率を高くしたメッシュシートなどを用いることができる。
【００３２】
第２形態例（参考形態例）に係るトイレシート１では、図３及び図４に示されるように、トップシート３の上面の周縁部に沿って青色等に着色された枠状シート８を、ホットメルト接着剤やヒートシール等で接合することにより、前記枠状シート８を前記着色部６として認識できるようにしている。本形態例に係るトイレシート１では、枠状シート８を直接目視することができるため、識別性が向上する。また、従来のトイレシートに前記枠状シート８を接合するだけなので、容易に製作できるようになる。
【００３３】
第３形態例（参考形態例）に係るトイレシート１では、図５に示されるように、トップシート３の周縁部に着色を施すことにより、前記着色部６として認識できるようにしている。本形態例に係るトイレシート１は、上記第２形態例で枠状シート８を接合する代わりにトップシート３に直接着色を施したものであり、同様に識別性及び製作性が向上する。
【００３４】
第４形態例に係るトイレシート１では、図６に示されるように、着色されたバックシート２の周縁をトップシート３の外縁を巻き込んで表面側に折り返し、この折り返し部分２ａをトップシート３の上面にホットメルト接着剤等で接合することによって、前記着色部６として認識できるようにしている。本形態例に係るトイレシート１では、バックシート２の折り返し部分２ａが表面側に接合されるため、外縁からの漏れが軽減できるとともに、着色部６の識別性が向上する。
【００３５】
ところで、前記中央部７には、ｐＨを検知して変色する指示薬を含有するインキによって線状模様や絵柄等のデザインを施すことが好ましい。これにより、上述の通り前記中央部７を白色に形成することによって尿自体の色を確認できることに加えて、尿のｐＨもチェックできるようになり、ペットの健康管理がより一層確実に行えるようになる。犬などのペットの尿のｐＨは食べ物等によって影響を受けやすくｐＨ５〜８程度を示すものが多いため、前記ｐＨを検知して変色する指示薬としては酸性、中性、アルカリ性の何れにも反応するものが好ましい。具体的な構成としては、ブロモチモールブルー、メチルレッド、ブロモフェノールブルー等のｐＨ指示薬から選択した１種もしくは２種以上のｐＨ指示薬を含有するとともに、アクリル樹脂、ポリアセタール樹脂等の親水基と疎水基とを持つ樹脂を結合剤として含有し、且つシリカやセルロース等の吸水性粉末剤を含有したものが好適である。
【００３６】
〔他の形態例〕
(1)上記形態例では、着色部６は吸収体４が介在しない外周フラップ部に設けられるように図示されているが、この着色部６の内縁を吸収体４が介在する部分に形成することにより、前記着色部６がトイレシート１の外縁から吸収体４が介在する領域にかけて形成されるようにしてもよい。前記着色部６を吸収体４が介在する領域にまで形成することにより、着色部６の近傍に排尿した場合でも外側への漏れを防止できるようになる。
【符号の説明】
【００３７】
１…トイレシート、２…バックシート、３…トップシート、４…吸収体、５…クレープ紙、６…着色部、７…中央部
【図１】
0005796937.tif 000002
【図２】
0005796937.tif 000003
【図３】
0005796937.tif 000004
【図４】
0005796937.tif 000005
【図５】
0005796937.tif 000006
【図６】
0005796937.tif 000007